(57)【要約】【目的】  コンパクトでかつ十分な研磨機能を有するパチンコ玉研磨装置を提供する。【構成】  パチンコ玉を挟むように配置され、少なくとも一方が研磨機能を有する第１の面及び第２の面と、第１の面及び第２の面の間のパチンコ玉を周方向に移動させる第１の手段と、を有する研磨部が多段に重ねられ、研磨部間においてパチンコ玉を移動させる第２の手段が備えられる。【選択図】図１
2006167440.tif 000002
【特許請求の範囲】
【請求項１】
パチンコ玉を挟むように配置され、少なくとも一方が研磨機能を有する第１の面及び第２の面と、該第１の面及び第２の面の間のパチンコ玉を周方向に移動させる第１の手段と、を有する研磨部が多段に重ねられ、
前記研磨部間において前記パチンコ玉を移動させる第２の手段が備えられる、ことを特徴とするパチンコ玉研磨装置。
【請求項２】
前記研磨部は上下方向に重ねられる、ことを特徴とする請求項１に記載のパチンコ玉研磨装置。
【請求項３】
前記第２の移動手段は、上下に重ねられる研磨部間を連通する開口部である、ことを特徴とする請求項２に記載のパチンコ玉研磨装置。
【請求項４】
前記パチンコ玉の重なりを防止する手段が前記開口部に設けられている、ことを特徴とする請求項３に記載のパチンコ玉研磨装置。
【請求項５】
前記開口部は、仮想スパイラル線上に配置される、ことを特徴とする請求項３又は４に記載のパチンコ玉研磨装置。
【請求項６】
前記第１の面及び第２の面は固定されており、前記第１の移動手段は前記第１の面及び第２の面の間で回転する回転部材からなる、ことを特徴とする請求項１〜５の何れかに記載のパチンコ玉研磨装置。
【請求項７】
前記第１の面及び第２の面の何れか一方が湿潤状態にある第１の研磨部を上段側に配置し、
前記第１の面及び第２の面の何れか一方が吸水材料を有するものとした第２の研磨部を下段側に配置した、ことを特徴とする請求項２に記載のパチンコ玉研磨装置。
【請求項８】
前記第１の研磨部に対して実質的にハロゲンが含まれていない電解水を供給する水供給手段が更に設けられている、ことを特徴とする請求項７に記載のパチンコ玉研磨装置。
【請求項９】
前記電解水はｐＨが１１．０〜１３．２の電解イオン水である、ことを特徴とする請求項８に記載のパチンコ玉研磨装置。
【請求項１０】
前記水供給手段は予め定められたプログラムに基づき水の供給量を調節する制御装置を備える、ことを特徴とする請求項８又は９に記載のパチンコ玉研磨装置。
【請求項１１】
前記第１の研磨部の水分状態を検出する水分検出手段が更に備えられ、前記制御手段は前記水分検出手段が検出した前記第１の研磨部の水分状態に応じて前記水の供給量を調節する、ことを特徴とする請求項１０に記載のパチンコ玉研磨装置。
【請求項１２】
パチンコ玉研磨装置へ洗浄水を供給する装置であって、
ハロゲンを実質的に含まず、ｐＨが１１．０〜１３．２の電解イオン水をパチンコ玉研磨装置へ供給する、ことを特徴とするパチンコ玉研磨装置用洗浄水供給装置。
【請求項１３】
パチンコ玉研磨装置へ供給される洗浄水であって、ハロゲンを実質的に含まず、ｐＨが１１．０〜１３．２の電解イオン水である、ことを特徴とするパチンコ玉研磨装置用洗浄水。
【請求項１４】
パチンコ玉を挟むように配置される第１の面及び第２の面と、該第１の面及び第２の面の間のパチンコ玉を周方向に移動させる第１の手段と、を有するパチンコ玉処理部が上下方向に多段に重ねられ、
前記処理部間において前記パチンコ玉を移動させる第２の手段が備えられ、
ハロゲンを実質的に含まず、ｐＨが１１．０〜１３．２の以下の電解イオン水からなる洗浄水が第１の処理部へ供給され、
該第１の処理部より下段の第２の処理部において前記洗浄水が乾燥され、
前記第１の処理部及び／又はそれより下段の処理部において前記第１の面及び第２の面のいずれか一方に研磨機能が付されている、ことを特徴とするパチンコ玉研磨装置。
【発明の詳細な説明】
【技術分野】
【０００１】
この発明はパチンコ玉研磨装置に関する。
【背景技術】
【０００２】
パチンコ玉研磨装置として、パチンコホールの各島において揚送中にベルト間にパチンコ玉を挟みこんでこれを研磨するタイプのものが一般的に使用されている。
上記タイプのパチンコ玉研磨装置は大きな容積が必要になるので、コンパクト化等の目的のため、回転研磨盤と固定研磨盤との間にパチンコ玉を挟みこんで回転研磨盤の回転によりこれを研磨するタイプが提案されている（特開昭５９−１５６６８１号公報参照）。この研磨装置では研磨盤の中央からパチンコ玉を供給し、その外周側から排出する。パチンコ玉は回転研磨盤の回転に伴い回転しながら、その遠心力で外周側へ移動される。
【発明の開示】
【発明が解決しようとする課題】
【０００３】
後者のタイプのパチンコ玉研磨装置によれば研磨装置がコンパクト化されるが、
パチンコ玉を効率よく研磨することは困難であった。これは、パチンコ玉と研磨盤との接触距離を充分に取れないことに起因している。研磨盤を大径にすれば十分な接触距離を確保できるがコンパクト化の要請に反することとなる。
【課題を解決するための手段】
【０００４】
本発明者は上記課題を解決すべく鋭意検討を重ねてきた結果、下記に規定する本件発明に想到した。即ち、
パチンコ玉を挟むように配置され、少なくとも一方が研磨機能を有する第１の面及び第２の面と、該第１の面及び第２の面の間のパチンコ玉を周方向に移動させる第１の手段と、を有する研磨部が多段に重ねられ、
前記研磨部間において前記パチンコ玉を移動させる第２の手段が備えられる、ことを特徴とするパチンコ玉研磨装置。
【０００５】
このように構成されたパチンコ玉研磨装置によれば、研磨部が多段に重ねられるので、各研磨部の径を大きくしなくても、即ち装置のコンパクト化を維持したまま、パチンコ玉と研磨面との間に充分な接触距離が確保される。よって、優れた研磨機能を奏するものとなる。
【０００６】
この発明の他の局面のパチンコ玉研磨装置によれば、研磨部が上下方向に重ねられる。
これにより、パチンコ玉の移動が重力に沿ったものとなるので、その移動が円滑になる。
【０００７】
この発明の他の局面のパチンコ玉研磨装置によれば、第２の移動手段として、上下に重ねられる研磨部を連通する開口部を採用した。
これにより、上段の研磨部から下段の研磨部へ自由落下によりパチンコ玉を移動させることができるので、装置構成が簡素化される。よって、装置の耐久性が向上するとともに安価に提供可能となる。
【０００８】
この発明の他の局面のパチンコ玉研磨装置によれば、開口部が仮想スパイラル線上に配置される。即ち、連続する研磨部において開口部が上下方向に連続していない。より好ましくは、上側の開口部とその次に配置される開口部とは、研磨部を平面から見たとき、研磨部におけるパチンコ玉の回転方向と逆方向に連続するように配置される。これにより、研磨部において上側の開口部から落下してきたパチンコ玉を下側の開口部から放出する間の、パチンコ玉−研磨面間の距離を最大にすることができる。
【０００９】
この発明の他の局面によれば、第１の面及び第２の面は固定されており、第１の移動手段は第１の面及び第２の面の間で回転する羽根からなるものとした。
第１の面と第２の面とを固定することにより、パチンコ玉と研磨面との間の接触抵抗を安定化でき、もって研磨作業を確実に行える。また、第２の移動手段として回転部材を用いることにより、パチンコ玉を第１の面及び第２の面間でその周方向に移動させることが可能となる。
【００１０】
この発明の他の局面によれば、第１の面及び第２の面の何れか一方が湿潤状態にある第１の研磨部を上段側に配置し、第１の面及び第２の面の何れか一方が吸水材料を有するものとした第２の研磨部を下段側に配置する構成とした。
このように構成されたパチンコ玉研磨装置によれば、パチンコ玉を水洗可能とる。
【００１１】
この発明の他の局面によれば、上記湿潤状態にある第１の研磨部へ実質的にハロゲンが含まれていない電解水を供給可能とする。洗浄用の水として当該電解水を用いることによりパチンコ玉が錆びることを未然に防止することができる。
かかる洗浄水は水道水をイオン交換膜、イオン交換樹脂、逆浸透膜などに通してハロゲンを除去し、更に陽イオン交換膜を用いて電解することにより得られる。当該陽イオン交換膜としてパーフルオロスルホン酸フィルムなどを用いることができる。
電解水はｐＨが１１．０〜１３．２であることが好ましい。本発明者の検討によればこのｐＨ範囲において酸化還元電位は−９５０ｍＶ以下となることが多い。これにより、防錆効果に加えて、洗浄効果にも優れた水となる。更に好ましくは、ｐＨが１２．０〜１２．６であり、酸化還元電位は−９００ｍＶ以下とする。
かかる洗浄水は、この発明で提案する回転型のパチンコ玉研磨装置に限定されるものではなく、揚送型、その他のタイプのパチンコ玉研磨装置に応用することができる。
また、当該洗浄水を第１の研磨部へ供給可能とすることにより第１の研磨部の湿潤状態が維持され、装置の連続運転が可能となる。当該洗浄水の供給にあたり、供給量はコンピュータ制御することが好ましい。ここに、コンピュータ制御とは、予め定められたプログラムに基づき、ＣＰＵを備えた制御装置が洗浄水供給系のバルブ等の開閉を制御することにより行われる。当該制御用のプログラムは、パチンコ玉の通過量、気温、湿度、ホールの特徴などを考慮して適宜決めることができる。また。研磨部の水分状態（湿り気）をセンサで検出して、当該水分状態が常に維持されるように洗浄水の供給量を制御することもできる。
【００１２】
上記において、第１の手段は第１の面及び第２の面間においてパチンコ玉を周方向へ移動させることができればその構成は特に限定されない。例えば、第１の面及び／又は第２の面を回転させることにより、これを第１の移動手段とすることもできる。
第２の手段は研磨部間においてパチンコ玉を移動させることができればその構成は特に限定されるものではない。下側の研磨部から上側の研磨部へパチンコ玉を移動させてもよく、また研磨部を水平方向に配置した場合は左右方向へパチンコ玉を移動させることとなる。いずれにせよ、第２の手段は回転部材の回転軸と同方向へパチンコ玉を移動させる。
【００１３】
研磨装置においてパチンコ玉流れの上流側に洗浄水供給装置を配置し、下流側において当該洗浄水を乾燥させることが好ましい。また、研磨は洗浄水が供給された状態で行なうことが好ましい。
【実施例】
【００１４】
以下、この発明の実施例について説明する。
図１はこの発明の実施例のパチンコ玉研磨装置１の概略構成を示す。パチンコ玉の移動を矢印で示してある。
実施例のパチンコ玉研磨装置１は円筒形の筐体部３内に複数の研磨部２０、３０，４０  ……  を重ねて配置している。筐体部３の最上段には傾斜板５が設けられ、外部からパチンコ玉２が当該傾斜板５へ導入される。傾斜板５の下には第１の固定板７が配置される。この第１の固定板７の下面には第１の研磨部材９が取付けられている。その詳細を図２に示す。図２から明らかなように、ネジ等の汎用的な固定手段により第１の固定板７が筐体部３へ固定される。第１の研磨部材９は弾性層１１を研磨層１３で被覆した構成である。弾性層１１は合成ゴム、エラストマー、樹脂製スポンジ等の弾性を有する材料で形成される。研磨層１３はパチンコ玉２の表面の汚れを除去し、錆びを研磨できる材料であれば任意に選択することができるが、この実施例では樹脂製のネット用いた。弾性層１１を備えることにより、パチンコ玉２を強い力で挟んでもパチンコ玉２が移動可能になるとともに、その結果、パチンコ玉２と研磨層１３との間に強い接触抵抗が得られる。もって、パチンコ玉２に対する研磨効率が向上する。
【００１５】
第１の固定板７と第１の研磨部材９とには、図示右端に開口部１５が形成されている。パチンコ玉２は傾斜板５の表面を転動してこの開口部１５から第１の研磨部２０へ導入される。図中の符号１６は貫通孔であって、これへモータＭの回転軸Ｓがフリーに貫通される。
なお、図３に示すとおり、研磨部材には開口部１５０を貫通孔１６へ連通させることが好ましい。これにより、当該部材の取り付け、取り外しが容易になる。
【００１６】
第１の研磨部２０は、既述の第１の研磨部材９、第２の研磨部材１９及び両研磨部材９及び１９の対抗面（第１の面、及び第２の面）間で回転する回転羽根２５から構成される。
第２の研磨部材１９は第２の固定板１７の上面に配置される。この第２の研磨部材１９も、第１の研磨部材９と同様に弾性層の表面へ研磨層を被覆させた構成である。第２の固定板１７の下面には第３の研磨部材２１が固定されている。この第３の研磨部材２１の構成も第１の研磨部材９と同様に弾性層の表面へ研磨層を被覆したものである。なお、この実施例の各研磨部材２９、３１、３９、４１、４９はいずれも同等の構成をとっている。
【００１７】
回転羽根２５の構成を図４に示す。回転羽根２５はその軸受け部２６においてモータＭの回転軸Ｓに固定される。これにより、回転軸Ｓの回転に伴い回転することとなる。軸受け部２６から放射状に羽根２７が伸びている。各羽根２７の先端側は補強リング２８で連結されている。
第１の研磨部２０において第１の研磨部材９と第２の研磨部材１９との間の距離はパチンコ玉２の直径より僅かに小さくされている。羽根２７は、第１の研磨部材９と第２の研磨部材１９との間において両者に干渉することなく回転可能であり、両部材９、１９間に存在するパチンコ玉２のほぼ中心に当接する。これにより、パチンコ玉２を効率よく第１の研磨部２０においてその周方向へ移動させることができる。
更には、図５に示すとおり、回転羽根２５０補強リング２８０にボール２８１を回転可能に埋設することが好ましい。なお、図４と同一の要素には同一の符号を付してその説明を省略する。ボール２８１は上下の研磨部材（９、１９）若しくはその保持部材に接触し、それらとの接触抵抗を低減する。これにより、回転羽根２５０にかかる負荷が低減するので、耐久性が向上するとともに、パチンコ玉研磨のスループットも向上する。
なお、羽根２７には、より幅広のパチンコ玉押圧部２７０を付設することが好ましい。当該押圧部２７０によりパチンコ玉をより確実に押圧することができ、もって、パチンコ玉研磨のスループットが向上する。
【００１８】
第２の研磨部３０及び第３の研磨部４０においても一対の研磨部材と回転羽根との関係は、第１の研磨部２０と同一であるのでその説明は省略する。
この実施例では、第３の研磨部４０より下段にも研磨部が更に設けられているがその構成も省略してある。
なお、研磨部の段数は、研磨部材の直径、回転速度、研磨部材の単位長さあたりの研磨能力等に応じて任意に設定可能である。
【００１９】
上下に重ねられて連続する研磨部は開口部で連通されている。まず、第１の研磨部２０の上側面を構成する第１の固定板７と第１の研磨部材９には第１の開口部１５が形成されている。傾斜板５を転動したパチンコ玉２はこの第１の開口部１５を介して第１の研磨部２０へ導入される。
第１の研磨部２０と第２の研磨部３０とは第２の開口部２２で連通される。この第２の開口部２２は第２の研磨部材１９、第２の固定板１７及び第３の研磨部材２１を貫通して形成される。第１の研磨部２０において上下の研磨部材９、１９に挟まれながら移動するパチンコ玉２は開口部２２にくると、自由落下により第２の研磨部３０へと導入される。
第２の研磨部３０と第３の研磨部４０とは第３の開口部３２で連通される。この第３の開口部３２は第４の研磨部材２９、第３の固定板２７及び第５の研磨部材３１を貫通して形成される。第２の研磨部３０において上下の研磨部材２１、２９に挟まれながら移動するパチンコ玉２は開口部３２にくると、自由落下により第３の研磨部４０へと導入される。
上下に重ねあわされた研磨部間においてパチンコ玉を移動させる方式として、開口部を介してパチンコ玉を自由落下させることが最も簡素な構成である。よって、研磨装置の製造コストを引き下げることができる。
【００２０】
各開口部１５、２２、３２、４２の配置を図６に示す。図６において符号４２は第３の研磨部４０とその下に配置される第４の研磨部とを連通する第４の開口部である。図６から明らかなように、各開口部１５、２２、３２、４２は仮想スパイラル線上に配置される。各研磨部においてパチンコ玉２と研磨部材との接触距離を最大化するためには、研磨部を平面から見たとき、上側の開口部とその次に配置される開口部とは、パチンコ玉の移動方向（図中矢印で示す。羽根２７の回転方向に等しい）と逆方向に連続するように配置されることが好ましい。
【００２１】
このように構成された実施例のパチンコ玉研磨装置１によれば、開口部１５から第１の研磨部２０へ導入されたパチンコ玉２は、第１の研磨部材９と第２の研磨部材１９に挟まれ、かつ回転羽根２５に押されて回転しながら第１の研磨部２０の周方向へ移動する。これにより、パチンコ玉２の表面が研磨される。このとき、第１の研磨部材９と第２の研磨部材１９はともに固定板７及び１７に取付けられているので、その全周にわたりパチンコ玉に対する接触圧力を均等に維持することができる。よって、パチンコ玉２に対する研磨能力が安定する。
同様に、開口部２２を介して第２の研磨部３０へ導入されたパチンコ玉２は第３の研磨部材２１と第４の研磨部材２９に挟まれながら回転羽根３５に押されて第２の研磨部３０の周方向へ移動する。これにより、パチンコ玉２の表面が研磨されることとなる。
研磨が終了したパチンコ玉２は、最下段の研磨部から開口部５５を介して回収板５６へ落とされる。
【００２２】
実施例の研磨装置１では、各研磨部においてパチンコ玉２が効率よくかつ安定して研磨されることとなる。１つの研磨部におけるパチンコ玉と研磨部材との接触距離は限定されているが、研磨部の段数を増加させるとそれに比例してパチンコ玉と研磨部材との接触距離も増大する。研磨部の幅（上下方向の高さ）はほぼパチンコ玉の直径に等しいので、研磨部の段数を増加させても研磨装置自体の容積は殆ど変動しない。即ち、研磨装置自体のコンパクト性を維持した状態でパチンコ玉と研磨部材との接触距離を増大可能となる。
【００２３】
他の実施例の図７を用いて説明する。この例では、研磨部材の開口部１６０に緩衝板１６１が設けられている。この緩衝板１６１はばね弾性を有する金属板からなり、開口部１６０で落下したパチンコ玉２が上下に重ならないようにしている。即ち、図７のようにパチンコ玉２が山になっても緩衝板１６１にはじかれて山が崩される。
他方、この緩衝板１６１が無いと、図８に示すように、山となったパチンコ玉２が羽根１６５に押され、開口部１６０のエッジにかみ込むおそれがある。かかるかみ込みが発生すると、パチンコ玉の流れが滞るので好ましくない。
この実施例では板ばねによりパチンコ玉の重なりを防止しているが、板ばねの他ブラシなどを配置してパチンコ玉の重なりを防止することもできる。
【００２４】
他の実施例を図９及び図１０を用いて説明する。
この実施例では、図９に示すように、パチンコ玉研磨装置の上側に配置される固定板６７に注水路６８を設け、弾性層６９、７１に連続気泡を有するスポンジ状の材料を採用した。符号８０は注水路６８へ洗浄水を供給するための給水装置であって、タンク８１及び注水量制御弁８３を備えてなる。給水装置８０から供給される洗浄水は固定板６７の注水路６８を介して各弾性層６９、７１へ供給され、これらを湿潤状態に保つ。図中の符号７０、７２はネット状の研磨層である。即ち、研磨装置に上側に連続して配置される研磨部における第１の面と第２の面が湿潤状態に保たれる。注水路を調整することにより何れか一方の面のみを湿潤状態に保つこともできる。また、この注水部から研磨機能を除去することもできる。
【００２５】
図９の構成を採用することにより、パチンコ玉２をウエットの状態でこれを研磨可能となる。これにより、パチンコ玉２をより美しく研磨することができる。なお、洗浄水は例えば特許第３１４５３４７号で紹介されている電解イオン水を用いることができる。即ち、逆浸透膜に接触させた水を更に電解し、ｐＨが１２．０〜１２．６であり酸化還元電位が−９００ｍＶ以下の電解イオン水とする。当該電解イオン水によれば、パチンコ玉が錆びることを未然に防止できるとともに、パチンコ玉の洗浄能力も向上する。
なお、図９の例では注水路６８を固定板６７内に設けているが、固定板の表面に溝を設けこれを注水路とすることもできる。洗浄水を弾性体６９及び／又は弾性体７１へ直接供給することもできる。
【００２６】
図１０の例では、洗浄水の供給系において制御装置３０１が備えられている。この制御装置３０１はＣＰＵを備え、このＣＰＵはメモリ３０３に予め保存されている制御プログラムによってバルブ８３の開閉を制御する。図１０において、図９と同一の要素には同一の符号を付してその説明を部分的に省略する。
バルブ８３の開閉のタイミングは、パチンコ玉の洗浄量、気温、湿度、ホールの特性その他の要因を考慮して適宜決定される。時間に応じて開閉のタイミングに変化をもたせることもできる。このようなバルブ８３の開閉のタイミングの調整は、入力装置３０５により制御プログラムのパラメータを変更することにより行うことができる。また、ネットワークインタフェース３０７を介して、ホールのホストコンピュータから調整することも可能である。
【００２７】
図１１には更に他の例の洗浄水供給系を備えるパチンコ玉研磨装置を示す。なお、図１０の例と同一の要素には同一の符号を付してその説明を省略する。この例では、湿り気センサ３０９により弾性体６９の湿り気（水分状態）を検出する。当該湿り気センサ３０９として弾性体の電気抵抗を検出する抵抗計を用いることができる。制御装置３０１は湿り気センサ３０９により検出される弾性体６９の水分状態が常に一定幅に維持されるように洗浄水の供給量を調節する。
【００２８】
図１２には、パチンコ玉研磨装置において下段側に配置される固定板９７及び研磨部材の構成を示す。なお、図９と同一の機能を有する要素には同一の符号を付してその説明を省略する。
図１２の例では、固定板９７に送風路９８を設けてこの送風路９８へ空気を強制的に通過させるようにした。
図９〜１１の構成により水分が付着したパチンコ玉が図１２の構成の弾性層６９、７１へ接触すると、当該スポンジ状の弾性層６９、７１がパチンコ玉の水分を吸収し、これを乾燥させる。これにより、パチンコ玉は乾いた状態となる。しかしながら、スポンジ状の弾性層６９、７１が湿っているとパチンコ玉の水分を充分に吸い取れなくなるおそれがある。そこで、送風路９８へ強制的に空気を送ることにより弾性層６９、７１を常に乾燥状態に維持し、もってその吸水効果の維持を図る。
弾性層６９、７１により研磨装置の下側に連続して配置される研磨部において第１の面及び第２の面が吸水性を備えるものとなる。弾性層６９及び／又は弾性層７１を非吸水性とすることもできる。固定板の送風路を省略することもできる。
【００２９】
この発明は上記発明の実施の態様及び実施例の説明に何ら限定されるものではない。特許請求の範囲を逸脱せず、当業者が容易に想到できる範囲で種々の変形態様もこの発明に含まれる。
【図面の簡単な説明】
【００３０】
【図１】図１はこの発明の実施例のパチンコ玉研磨装置の概略構成を示す。
【図２】図２は同じく固定板及び研磨部材の構成を示し、図２（Ａ）は断面図、図２（Ｂ）は底面図を示す。
【図３】図３は他の態様の研磨部材を示す。
【図４】図４は同じく回転羽根を示し、図４（Ａ）は平面図、図４（Ｂ）は（Ａ）におけるＢ−Ｂ線断面図である。
【図５】図５は他の態様の回転羽根を示し、図５（Ａ）は平面図、図５（Ｂ）は（Ａ）におけるＢ−Ｂ線断面図である。
【図６】図６は開口部の配置関係を示す平面図である。
【図７】図７は他の実施例の開口部の構造（緩衝板を有する）及びそこにおけるパチンコ玉の挙動を示す断面図である。
【図８】図８は緩衝板のない開口部におけるパチンコ玉の挙動を示す断面図である。
【図９】図９は洗浄水供給部を備えた固定板を示す断面図である。
【図１０】図１０は他の態様の洗浄水供給部を示す。
【図１１】図１１は他の態様の洗浄水供給部を示す。
【図１２】図１２は強制乾燥機能を備えた固定版を示す断面図である。
【符号の説明】
【００３１】
１  パチンコ玉研磨装置
２  パチンコ玉
３  筐体部
５  傾斜板
７、１７、２７、３７、６７  固定板
９、１９、２１、３１、３９、４１，４９  研磨部材
１１  弾性層
１３  研磨層
１５、１５０、１６０  開口部
２５、２５０  回転羽根
２６  軸受け部
２７、１６５  羽根
２８、２８０  補強リング
６８  注水路
６９、７１  スポンジ状弾性層
７０、７２  ネット状研磨層
８０  給水装置
８１  タンク
８３  注水量制御弁
１６１  緩衝板
２７０  押圧部
２８１  ボール
【図１】
2006167440.tif 000003
【図２】
2006167440.tif 000004
【図３】
2006167440.tif 000005
【図４】
2006167440.tif 000006
【図５】
2006167440.tif 000007
【図６】
2006167440.tif 000008
【図７】
2006167440.tif 000009
【図８】
2006167440.tif 000010
【図９】
2006167440.tif 000011
【図１０】
2006167440.tif 000012
【図１１】
2006167440.tif 000013
【図１２】
2006167440.tif 000014